(57)【要約】【課題】光磁気記録装置における磁気ヘッドの磁界発生面の面積を低減し、情報信号の記録速度を向上する。【解決手段】磁気ヘッド３を支持する支持部をロード部材１１、補助ロード部材１２で構成し、磁気ヘッド３のロード状態では駆動手段１５は支持部から離間すると共に、補助ロード部材１２の他の一端が支持部に当接する。また、アンロード状態では駆動手段１５は支持部に当接して駆動することにより磁気ヘッド３をディスク２から離間させると共に、補助ロード部材を支持部から離間又は支持部に対する付勢力を低減させる。これにより、磁気ヘッドのロード状態では磁気ヘッドの水平方向の変位を低減し、アンロード状態では駆動手段の駆動力を低減し、支持部の弾性変形可能な範囲内において完全に磁気ヘッドを退避させる。【選択図】　　　図１
2004110957.tif 000002
【特許請求の範囲】
【請求項１】
光磁気記録媒体に光ビームを照射する光ピックアップ、前記媒体に磁界を印加する磁気ヘッド、前記磁気ヘッドを保持する支持部、前記支持部を駆動して前記磁気ヘッドの媒体上へのロード（押圧）とアンロード（退避）とを行う駆動手段、及び前記磁気ヘッドを前記媒体の任意の記録位置に移送する移送手段を備えた光磁気記録装置において、前記支持部はロード部材と、一端を前記ロード部材に結合した補助ロード部材から構成され、前記磁気ヘッドを前記媒体上にロードした状態においては、前記駆動手段は前記支持部から離間すると共に、前記補助ロード部材の他の一端が前記支持部に当接し、前記磁気ヘッドの前記媒体からのアンロード動作時には、前記駆動手段は前記支持部に当接して駆動することによって、前記磁気ヘッドを前記媒体から離間させると共に、前記補助ロード部材を前記支持部から離間させるか、または前記補助ロード部材の前記支持部に対する付勢力を低減させることを特徴とする光磁気記録装置。
【請求項２】
前記磁気ヘッドが前記媒体上にロードされた状態において垂直方向に変位する時には、これによって前記補助ロード部材と前記支持部との当接位置において作用する力に抗するように、前記補助ロード部材と前記支持部が係合するか、または前記補助ロード部材と前記支持部との当接位置に摺動摩擦力が作用し、前記磁気ヘッドの前記媒体からのアンロード動作時には、前記駆動手段によって、前記補助ロード部材の前記支持部への当接位置においてその係合を解除するか、または前記補助ロード部材と前記支持部を離間させる方向に力を作用させることを特徴とする請求項１に記載の光磁気記録装置。
【請求項３】
前記磁気ヘッドを前記媒体上にロードした状態において、前記移送手段により前記磁気ヘッドと前記支持部とを移送する際には、前記駆動手段は前記支持部に接触しないことを特徴とする請求項１に記載の光磁気記録装置。
【請求項４】
前記補助ロード部材の前記支持部への当接位置における摺動摩擦力を増大する手段を有することを特徴とする請求項２に記載の光磁気記録装置。
【発明の詳細な説明】
【０００１】
【発明の属する技術分野】
本発明は、光磁気記録媒体に磁気ヘッドによって磁界を印加すると同時に、光ピックアップによって光ビームを照射することにより情報信号を記録する光磁気記録装置、特に、光磁気記録媒体に情報信号で変調された磁界を印加する磁気ヘッドの支持機構の改良に関するものである。
【０００２】
【従来の技術】
従来、光磁気記録層を有する光磁気記録媒体に磁界を印加すると同時に、磁界の印加部分に光ビームを照射することで情報信号の記録を行う光磁気記録装置が知られている。この光磁気記録装置の記録方式としては、所望強度の光ビームを光磁気記録媒体に照射しながら記録すべき情報信号に応じて印加磁界の向きを反転させることによって情報信号を記録する磁界変調方式がある。このような磁界変調方式は、例えば、ＭＤ（ミニディスク）の装置等で採用されてきている。
【０００３】
一般に、磁界変調方式の光磁気記録装置においては光磁気記録媒体の一方の側に配置された光ピックアップにより光ビームを光磁気記録層に微小な光スポットに集光して照射し、他方の側に配置された磁気ヘッドにより光スポットを含む領域に磁界を印加する。また、情報信号の記録時には磁気ヘッドは光磁気記録媒体上にロード（押圧）され、情報信号の記録を行わない時、特に、光磁気記録媒体を装置に挿入または排出する動作を行う際には、磁気ヘッドは光磁気記録媒体上からアンロード（退避）している。
【０００４】
次に、従来の磁界変調方式の光磁気記録装置の概略構成を図５、図６に基づいて説明する。図５は光磁気ディスク上に磁気ヘッド３がロードされている状態を示す側面図、図６は磁気ヘッドがアンロードされている状態を示す側面図である。また、それぞれ（ａ）は側面から、（ｂ）は上面から見た図である。
【０００５】
図中、１はカートリッジ、２はカートリッジに内包された光磁気記録媒体である光磁気ディスク、３は磁気ヘッド、４は光ピックアップである。カートリッジ１には光磁気ディスク２を露出させるように一部に開口５が形成され、開口５内において磁気ヘッド３は光磁気ディスク２の上面側に、光ピックアップ４は下面側に対向して配置され、両者は連結部材６により連結されている。
【０００６】
磁気ヘッド３には磁界発生部である磁極９が設けられ、磁極９から発生する磁界を光磁気ディスク２に印加する。また、光ピックアップ４は光磁気ディスク２に光ビームの光スポットを形成する。磁気ヘッド３をロードした状態において、磁極９による磁界の印加領域の中心と光ピックアップ４が形成する光スポットの位置が一致するように磁気ヘッド３と光ピックアップ４の位置が調整されている。
【０００７】
磁気ヘッド３の支持手段はロードビーム３１、第１の板ばね３２及び第２の板ばね３３で構成されている。ロードビーム３１の一端は第１の板ばね３２を介してベース板３４に結合され、他端には第２の板ばね３３を介して磁気ヘッド３が取り付けられている。ここで、磁気ヘッド３はカートリッジ１に形成された開口５内において光磁気ディスク２上にロードされるので、磁気ヘッド３を支持するロードビーム３１はカートリッジ１の上面の上方から開口５に向かって傾斜する形状となる。
【０００８】
また、図５に示すように磁気ヘッド３はロード状態においては第１の板ばね３２及び第２の板ばね３３の付勢力により一定の荷重で光磁気ディスク２の上面に押圧されている。一方、磁気ヘッド３をアンロードする時には、図６に示すように矢印Ｆの方向にスライドする昇降シャフト３５によって第１の板ばね３２を弾性変形させながらロードビーム３１を押し上げ、これにより磁気ヘッド３をカートリッジ１の上面よりも上方に退避させる構成となっている。
【０００９】
ところで、近年の情報信号の記録速度の向上に伴なって磁界の変調周波数を高くする必要が生じ、このため磁気ヘッド３は磁極９の磁界発生面（光磁気ディスク２との対向面）の面積を小さくすることによってインダクタンスを小さくする傾向がある。この時、磁界の印加領域も縮小するので、光ピックアップ４が形成する光スポットとの間のより高い位置精度が求められている。
【００１０】
【発明が解決しようとする課題】
しかしながら、外部から光磁気記録装置に加わる振動や衝撃によって、磁気ヘッド３はロードされた状態において光磁気ディスク２に平行な方向への変位を生じる。更に、磁気ヘッド３を支持するロードビーム３１がカートリッジ１の上面の上方から開口５に向かって傾斜する形状であるため、図７に示すように光磁気ディスク２の厚さのばらつきや回転に伴う面振れ等によって、その上面が垂直方向に変位するときに、磁気ヘッド３は同時に光磁気ディスク２に平行な方向へも変位する。
【００１１】
ここで、光磁気ディスク２の垂直方向の変位量がΔＺであるとき、ロードビーム３１が光磁気ディスク２と成す角がθ１からθ２へ変化したとすると、それに伴う磁気ヘッド３の水平方向の変位量ΔＸは次の式（１）で表される。
【００１２】
ΔＸ＝ΔＺ×ｔａｎ〔（θ１＋θ２）／２〕　　　…式（１）
このような磁気ヘッド３の振動や衝撃による変位又は垂直方向の変位に伴う水平方向の変位によって磁界の印加領域も光ピックアップ４の形成する光スポットに対して変位する。そこで、たとえこのような変位を生じても、磁界の印加領域内に光スポットが形成されるように磁界の印加領域は想定される変位量も見込んだ十分な広さを有していなければならない。
【００１３】
通常、この磁界の印加領域の大きさは磁気ヘッド３の磁極９の磁界発生面の大きさにほぼ等しい。つまり、磁界発生面の寸法の下限は磁気ヘッド３の水平方向の変位量によって定まり、このため磁気ヘッド３のインダクタンスを十分に低減することができず、これが情報信号の記録速度向上の障害となるのである。
【００１４】
そこで、このような課題を解決するために、仮に第１の板ばね３２の剛性をより大きくしたとする。第１の板ばね３２に支持されるロードビーム３１は、変位（角度の変化）を生じにくくなるから、振動や衝撃に対する磁気ヘッド３の変位を低減できることが期待できる。また、カートリッジ１に形成された開口５内において、光磁気ディスク２により近接し、ロードビーム３１よりも小さい傾斜角で第２の板ばね３３によって磁気ヘッド３を支持すれば、磁気ヘッド３の垂直方向の変位に伴う水平方向の変位を低減することも期待できる。
【００１５】
しかしながら、第１の板ばね３２の剛性を大きくする程、アンロード動作を行う際に必要な駆動力が増すために駆動源の消費電力が増大したり、第１の板ばね３２の弾性変形可能な範囲内でカートリッジ１の上面よりも上まで完全に磁気ヘッド３を退避させることが困難になる等の課題を生じる。従って、このような改良にもやはり限界があり、情報信号の記録速度を向上することができなかった。
【００１６】
本発明は、上記従来の問題点に鑑みなされたもので、その目的は、磁気ヘッドの磁界発生面の面積を低減でき、情報信号の記録速度を向上することが可能な光磁気記録装置を提供することにある。
【００１７】
【課題を解決するための手段】
本発明は、光磁気記録媒体に光ビームを照射する光ピックアップと磁界を印加する磁気ヘッド、磁気ヘッドを保持する支持部、支持部を駆動して磁気ヘッドの光磁気記録媒体上へのロード（押圧）とアンロード（退避）とを行う駆動手段、及び磁気ヘッドを光磁気記録媒体の任意の記録位置に移送する移送手段を備えた光磁気記録装置において、支持部はロード部材と、一端をロード部材に結合した補助ロード部材から構成され、磁気ヘッドを光磁気記録媒体上にロードした状態においては、駆動手段は支持部から離間すると共に、補助ロード部材の他の一端が支持部に当接し、磁気ヘッドの光磁気記録媒体からのアンロード動作時には、駆動手段は支持部に当接して駆動することによって、磁気ヘッドを光磁気記録媒体から離間させると共に、補助ロード部材を支持部から離間させるか、または補助ロード部材の支持部に対する付勢力を低減させることを特徴とする。
【００１８】
更に、磁気ヘッドが光磁気記録媒体上にロードされた状態において垂直方向に変位する時には、これによって補助ロード部材と支持部との当接位置において作用する力に抗するように、補助ロード部材と支持部が係合するか、または補助ロード部材と支持部との当接位置に摺動摩擦力が作用し、磁気ヘッドの光磁気記録媒体からのアンロード動作時には、駆動手段によって、補助ロード部材の支持部への当接位置においてその係合を解除するか、または補助ロード部材と支持部を離間させる方向に力を作用させることを特徴とする。なお、補助ロード部材の支持部への当接位置における摺動摩擦力を増大すれば一層効果的である。
【００１９】
以上の特徴を備えたことにより、磁気ヘッドをロードした状態においては、支持部の剛性が高められるので、装置に加わる振動や衝撃による磁気ヘッドの水平方向の変位を抑制することができ、磁気ヘッドの垂直方向の変位に伴う水平方向の変位量も低減できる。しかも、磁気ヘッドのアンロード動作時には、支持部を変位させるための駆動力が増大することはなく、むしろ従来よりも低減することができる。また、支持部の弾性変形可能な範囲内において完全に磁気ヘッドを退避させることもできる。
【００２０】
【発明の実施の形態】
次に、本発明の実施の形態について図面を参照して詳細に説明する。図１、図２は本発明による光磁気記録装置の一実施形態を示す図であり、図１は磁気ヘッドのロード状態を示す図、図２は磁気ヘッドのアンロード状態を示す図である。また、図１、図２においてそれぞれ（ａ）は側面から、（ｂ）は上面から見た図である。
【００２１】
図中、１はカートリッジ、２はカートリッジに内包された光磁気記録媒体である光磁気ディスク、３は磁気ヘッド、４は光ピックアップである。カートリッジ１には光磁気ディスク２を露出させるように一部に開口５が形成され、開口５内において磁気ヘッド３は光磁気ディスク２の上面側に、光ピックアップ４は下面側に対向して配置され、両者は連結部材６により連結されている。
【００２２】
磁気ヘッド３は第１の支持部７の先端に保持され、更に第１の支持部７は磁気ヘッド３と共に第２の支持部８によって保持されている。磁気ヘッド３には磁界発生部である磁極９が設けられ、磁気ヘッド３をロードした状態において、磁極９による光磁気ディスク２への磁界の印加領域の中心と、光ピックアップ４が形成する光スポットの位置が一致するように位置調整されている。
【００２３】
第１の支持部７は板ばねから成り、その大部分はカートリッジ１の開口５内に配置されている。第２の支持部８はベース板１０、ロード部材１１及び補助ロード部材１２によって構成され、カートリッジ１の上面の上方より開口５に向かって傾斜して配置されている。ロード部材１１は下方への屈曲部を有する板ばねにより構成され、その基部はベース板１０に取り付けられ、ベース板１０は連結部材６に取り付けられている。更に、ロード部材１１の基部には当接部材１３ａが取り付けられている。
【００２４】
補助ロード部材１２は板ばねから成り、その一端はロード部材１１に結合されている。また、補助ロード部材１２の両側には上記一端方向に延びるレバー１４ａ、１４ｂが取り付けられ、他の一端には当接部材１３ｂが取り付けられている。
【００２５】
ロード部材１１に取り付けられた当接部材１３ａと、補助ロード部材１２に取り付けられた当接部材１３ｂの拡大図を図３に示す。当接部材１３ａと当接部材１３ｂは、ロード部材１１または補助ロード部材１２を変形させることによって当接離間が可能である。また、各々の当接面には互いに噛み合う細かい波形形状が形成され、当接部材１３ａ、１３ｂが当接した状態において、特にロード部材１１、補助ロード部材１２が延びる方向（図において左右方向）への摺動を規制するように大きな摩擦力を発生する。
【００２６】
また、１５は磁気ヘッド３をロード／アンロードする際に第２の支持部８を駆動する駆動手段であり、１６は磁気ヘッド３の移送手段である。移送手段１６は光磁気ディスク２の半径方向に延びるガイドシャフト１７、リードスクリュー１８及びそれを回転させるモータ（図示せず）より構成されている。光ピックアップ４と共に第１の支持部７、第２の支持部８、磁気ヘッド３はリードスクリュー１８の回転により、ガイドシャフト１７をガイドとして光磁気ディスク２の半径方向の任意の位置に移送される。
【００２７】
駆動手段１５は光磁気ディスク２の半径方向に延びる昇降シャフト１９、及び昇降シャフト１９を昇降駆動する移動機構と駆動源（図示せず）より構成され、昇降シャフト１９は補助ロード部材１２に取り付けられたレバー１４ａ、１４ｂの下方に配置されている。駆動手段１５は移送手段１６による移送部分からは分離して固定されているが、光磁気ディスク２の半径方向の任意の位置において磁気ヘッド３をロード／アンロードすることができる。
【００２８】
次に、磁気ヘッド３のロード／アンロード動作について説明する。まず、磁気ヘッド３をロードする場合には、図１に示すように昇降シャフト１９は矢印Ａ方向に下降する。この場合、補助ロード部材１２のレバー１４ａ、１４ｂに当接して補助ロード部材１２とロード部材１１を上方に押し上げていた昇降シャフト１９は、レバー１４ａ、１４ｂから離間する。これにより、ロード部材１１はそれ自体の本来の形状である屈曲形状に戻り、その付勢力によって磁気ヘッド３が光磁気ディスク２に押圧される。また、このロード部材１１の形状の変化によって補助ロード部材１２は矢印Ｃで示す方向に回動変位し、ロード部材１１から離間していた当接部材１３ｂがロード部材１１に設けられた当接部材１３ａに当接して付勢力を発生する。
【００２９】
このように磁気ヘッド３のロード状態においては、補助ロード部材１２は一端においてはロード部材１１に結合され、他の一端においては当接部材１３ｂがロード部材１１に設けられた当接部材１３ａに当接して付勢力を発生する。光磁気ディスク２の垂直方向の変位に伴って磁気ヘッド３が垂直方向に変位する時に、補助ロード部材１２の当接部材１３ｂが設けられた一端には、水平方向（図においては左右方向）に横滑りさせようとする力が作用する。
【００３０】
しかし、当接部材１３ｂには当接部材１３ａへの付勢によってこの力に抗するように（即ち逆方向に）大きな摺動摩擦力が発生するために、このような動作は規制される。結果として、補助ロード部材１２はロード部材１１を拘束し、第２の支持部８の剛性を高めるように作用する。
【００３１】
言い換えれば、ロード状態における第２の支持部８の構造は、実質的には２つのロード部材によって構成されたトラス構造に等しくなり、その剛性は単一のロード部材のみで構成するよりもはるかに高くなるのである。従って、光磁気ディスク２の垂直方向の変位に伴って磁気ヘッド３が垂直方向に変位する時に第２の支持部８はほとんど変位することなく、主に第１の支持部７が変位するのである。
【００３２】
次に、磁気ヘッド３をアンロードする場合には、図２に示すように昇降シャフト１９はロード時とは逆に矢印Ｂ方向に上昇する。これにより、まず、昇降シャフト１９が補助ロード部材１２のレバー１４ａ、１４ｂに当接して補助ロード部材１２とロード部材１１を変形させつつ上方に押し上げる。この時、補助ロード部材１２は矢印Ｄで示す方向に回動し、補助ロード部材１２の当接部材１３ｂはロード部材１１の当接部材１３ａから離間する。また、磁気ヘッド３は光磁気ディスク２より離間する。
【００３３】
更に昇降シャフト１９が上昇すると、ロード部材１１は屈曲形状からより水平な形状に変形して、図２に示すように磁気ヘッド３がカートリッジ１の上面よりも上方に退避し、アンロード動作を完了する。
【００３４】
ここで、このようなアンロード動作時には、まず、当接部材１３ａと１３ｂとが離間することによって、補助ロード部材１２によるロード部材１１の拘束は解除される。従って、この時、第２の支持部８の剛性は、磁気ヘッド３をロードした状態における場合よりも低下し、実質的には第２の支持部８をロード部材１１のみで構成したのと同程度となるから、以降のアンロード動作には特別に大きな駆動力を必要とはしない。
【００３５】
なお、磁気ヘッド３をロードした状態において、補助ロード部材１２の当接部材１３ｂが設けられた一端の横滑りを防止するためには、当接部材１３ｂと当接部材１３ａの間に作用する摺動摩擦力が大きいことが望ましい。そのためには、当接部材１３ｂと当接部材１３ａの当接面に図３の例のように波形形状を形成する以外にも、表面を粗くする、摩擦係数の大きい材料で構成する等の方法が有効である。
【００３６】
また、アンロード動作時に当接部材１３ｂの当接部材１３ａへの付勢力を低減するだけでも摺動摩擦力は低減されるので、第２の支持部８の剛性を低下させて、小さな駆動力で第２の支持部を変位、変形させる効果は得られるが、当接部材１３ｂを当接部材１３ａから完全に離間させるのが最も効果的である。
【００３７】
更に、当接部材１３ａ、１３ｂの当接部分の形態は図３の例に限るものではなく、例えば、図４に示すように当接部材１３ａに凹部を、当接部材１３ｂに凸部を形成し、磁気ヘッド３をロードした状態においては、当接部材１３ａの凹部と当接部材１３ｂの凸部を係合させることによって補助ロード部材１２がロード部材１１を拘束し、磁気ヘッド３のアンロード時には、当接部材１３ｂを当接部材１３ａから離間させて係合を解除するようにしてもよい。
【００３８】
また、補助ロード部材１２が当接する位置は上記例に限るものではなく、第２の支持部８（ロード部材１１やベース板１０も含む）の任意の位置であってよいが、磁気ヘッド３のロード／アンロード動作に伴って変位、変形を生じない固定位置である方が望ましい。
【００３９】
このように本実施形態では、磁気ヘッド３が光磁気ディスク２上にロードされた状態においては、第２の支持部８の剛性を高め、磁気ヘッド３の光磁気ディスク２に対して垂直な方向の変位に対する第２の支持部８の変位、変形を規制し、磁気ヘッドのアンロード動作時には第２の支持部８の剛性を低下させて、小さな駆動力で第２の支持部を変位、変形させることを特徴としている。
【００４０】
そのためには、磁気ヘッド３が光磁気ディスク２上にロードされた状態において垂直方向に変位する時には、これによって補助ロード部材１２と第２の支持部８との当接位置において作用する力に抗するように、補助ロード部材１２と第２の支持部８が係合するか、または補助ロード部材１２と第２の支持部８との当接位置に摺動摩擦力が作用し、磁気ヘッド３の光磁気ディスク２からのアンロード動作時には、駆動手段１５によって、補助ロード部材１２の第２の支持部８への当接位置においてその係合を解除するか、または補助ロード部材１２と第２の支持部８を離間させる方向に力を作用させることが重要である。
【００４１】
また、本実施形態では、補助ロード部材１２と第２の支持部８との当接状態（付勢や係合）の維持に、第２の支持部８（ロード部材１１や補助ロード部材１２を含む）の変形を利用しているため、磁気ヘッド３を光磁気ディスク２上にロードした状態においては、駆動手段１５である昇降シャフト１９は第２の支持部８から離間させることができる。
【００４２】
つまり、磁気ヘッド３をアンロードした状態で光磁気ディスク２の半径方向に移送する際には、第２の支持部８は昇降シャフト１９に当接して摺動するが、磁気ヘッド３をロードした状態のまま移送する際には、第２の支持部８は昇降シャフト１９に接触摺動しない。従って、移送中に接触摺動による振動が発生して光磁気ディスク２や光ピックアップ４に伝播し、これが光スポットのフォーカス制御動作に悪影響を及ぼすことがないので、移送終了直後に速やかに記録動作を行うことができる。
【００４３】
【発明の効果】
以上説明したように本発明の光磁気記録装置によれば、磁気ヘッドをロードした状態においては第２の支持部の剛性が高められ、振動や衝撃による第２の支持部の変位は抑制され、また光磁気記録媒体の垂直方向の変位に伴う第２の支持部の変位も規制されて主に第１の支持部のみが変位する。磁気ヘッドのアンロード動作時には、ロード状態における場合よりも第２の支持部の剛性が弱められるので、第２の支持部を変位させる駆動手段の駆動力を軽減できる。
【００４４】
その結果、磁気ヘッドをロードした状態においては、装置に加わる振動や衝撃による磁気ヘッドの変位を規制することができ、特に第１の支持部をカートリッジの開口内において光磁気記録媒体により近接し、平行またはそれに近い傾斜角で配置し、第２の支持部をカートリッジの上面の上方より開口に向かって傾斜して配置すれば、磁気ヘッドの垂直方向の変位に伴う水平方向の変位が低減できる。
【００４５】
しかも、磁気ヘッドのアンロード動作時には、第２の支持部を変位させるための駆動力が増大することはなく、むしろ従来よりも低減することによって駆動源の消費電力を低減することも可能である。また、第２の支持部の弾性変形可能な範囲内でカートリッジの上面よりも上まで完全に磁気ヘッドを退避させることができる。
【００４６】
このように磁気ヘッドの水平方向の変位を低減できるので、磁界発生面の面積を小さくした場合でも、光スポットは磁界の印加領域内に形成でき、磁気ヘッドのインダクタンスを低減することができる。その結果、情報信号の記録速度を向上することができる。
【００４７】
また、磁気ヘッドをロードした状態において光磁気記録媒体の任意の記録位置に移送する際に、昇降シャフトは第２の支持部からは離間しており、接触摺動することはない。従って、移送中に接触摺動による振動が発生して光磁気ディスクや光ピックアップに伝播し、これが光スポットのフォーカス制御動作に悪影響を及ぼすことがないので、移送終了直後に速やかに記録動作を行うことができる。
【図面の簡単な説明】
【図１】本発明による光磁気記録装置の一実施形態における磁気ヘッドのロード状態を示す図である。
【図２】本発明による光磁気記録装置の一実施形態における磁気ヘッドのアンロード状態を示す図である。
【図３】図１、図２の実施形態における当接部材１３ａ、１３ｂの当接面の形状の一例を示す拡大図である。
【図４】図１、図２の実施形態における当接部材１３ａ、１３ｂの当接面の形状の他の例を示す拡大図である。
【図５】従来の光磁気記録装置における磁気ヘッドのロード状態を示す図である。
【図６】従来の光磁気記録装置における磁気ヘッドのアンロード状態を示す図である。
【図７】従来の光磁気記録装置における課題を説明する図である。
【符号の説明】
１　カートリッジ
２　光磁気ディスク
３　磁気ヘッド
４　光ピックアップ
５　開口
６　連結部材
７　第１の支持部
８　第２の支持部
９　磁極
１０　ベース板
１１　ロード部材
１２　補助ロード部材
１３ａ、１３ｂ　当接部材
１４ａ，１４ｂ　レバー
１５　駆動手段
１６　移送手段
１７　ガイドシャフト
１８　リードスクリュー
１９　昇降シャフト
【図１】
2004110957.tif 000003
【図２】
2004110957.tif 000004
【図３】
2004110957.tif 000005
【図４】
2004110957.tif 000006
【図５】
2004110957.tif 000007
【図６】
2004110957.tif 000008
【図７】
2004110957.tif 000009